(57)【要約】【課題】器具本体を施工面へ容易に取り付けることができ、構造が簡単な照明器具を提供する。【解決手段】一方の開口面１８Ｂに対向して配置され、開口面１８Ｂの周縁に当接する第一の当接部１ｃが形成された施工具１と、一面側にＬＥＤユニット５（光源）が設けられ、他面側が開口１８を介して施工具１と対向して配置されて、他方の開口面１８Ａの周縁に対向する第二の当接部２ｃが設けられた器具本体２と、棒状に形成されて、器具本体２と施工具１とを連結して軸回りの所定の方向へ回転した際に施工具１を共回りさせる力を付与する連結部材３と、器具本体２の他面側に設けられ、共回りした施工具１が当接する回転規制部材４とを備え、施工具１が回転規制部材４に当接して回転が停止し、その後、連結部材３が単独で回転することで器具本体２が開口１８を通って施工具１に接近し、第一、第二の当接部１ｃ、２ｃが開口１８周縁を狭持する。【選択図】図１
2010040203.tif 000002
【特許請求の範囲】
【請求項１】
施工面に形成された開口の一方の開口面に対向して配置され、当該開口面の周縁に当接する第一の当接部が形成された施工具と、
一面側に光源が設けられ、他面側が前記開口を介して施工具と対向して配置されて、他方の開口面の周縁に対向する第二の当接部が設けられた器具本体と、
棒状に形成されて施工面の開口を挿通し、器具本体と施工具とを連結して、軸回りの所定の方向へ回転した際には、施工具を共回りさせる力を付与する連結部材と、
器具本体の他面側に設けられ、共回りした施工具が当接する回転規制部材とを備え、
連結部材と共回りする施工具が、回転規制部材に当接して回転が停止し、その後に連結部材が単独で回転することによって器具本体が施工面の開口を通って施工具に接近し、施工具の第一の当接部と、器具本体の第二の当接部とが、施工面の開口周縁を狭持することを特徴とする照明器具。
【請求項２】
前記回転規制部材は、器具本体の他面側から施工具側へ向けて突設されて、連結部材と共回りした施工具が当接する突設片を備えることを特徴とする請求項１記載の照明器具。
【請求項３】
前記連結部材は、ねじ溝が切られたねじを備え、当該ねじが器具本体を挿通して器具本体に連結されると共に、ねじ溝が施工具のねじ孔に螺合し、少なくとも施工具が連結部材と共回りしている期間にねじ孔と螺接するねじ溝の部位に、摩擦力を増大させる被覆材が設けられていることを特徴とする請求項１または２記載の照明器具。
【請求項４】
前記施工具の第一の当接部は、施工面に対して摩擦力が増大する手段を有することを特徴とする請求項１乃至３いずれか記載の照明器具。
【発明の詳細な説明】
【技術分野】
【０００１】
本発明は、照明器具に関するものである。
【背景技術】
【０００２】
従来より、図９に示すように、器具本体２２を施工面２８に取り付ける第一の取り付け手段として、器具本体２２の側壁２２ａに、ばね材２１が設けられたものがある。
【０００３】
上記第一の取り付け手段では、当該ばね材２１が設けられた器具本体２２を施工面２８の開口２９に挿入することによって、ばね材２１が器具本体２２と開口２９との間で広がり、ばね材２１と開口２９との間に発生するばね材２１の弾性力によって器具本体２２が開口２９に固定される。
【０００４】
また、図１０に示すように、器具本体２３を施工面２４に取り付ける第二の取り付け手段として、器具本体２３に爪部２５が設けられたものがある。
【０００５】
上記第二の取り付け手段では、器具本体２３の側壁２３ａから外部に向けて突出した爪部２５が施工面２４の上面に係止することによって、器具本体２３が施工面２４に固定されている。
【０００６】
しかし、器具本体を施工面へ取り付ける上記第一の取り付け手段では、器具本体２２の側壁２２ａにばね材２１を設けるため、器具本体２２の外寸が大きくなり、それに伴って器具本体２２の枠材２６も大きくなってしまうという問題がある。加えて、ばね材２１の弾性力によって器具本体２２が支持されているため、重量物を取り付けることができないという問題もある。
【０００７】
また、上記第二の取り付け手段では、爪部２５を、器具本体２３の内部から操作する必要があるため、器具本体２３内に手が侵入できる程度のスペースが必要となるため、器具本体２３が大きくなってしまうという問題がある。
【０００８】
そこで、上記問題を解決するために、施工面にねじ留めによってブラケットを取り付け、当該ブラケットを器具本体と平板状の取り付け板とで狭持してねじ等の連結部材によって固定する照明器具が提供されている（例えば、特許文献１参照）。
【特許文献１】特開平６−３３３４１２号公報
【発明の開示】
【発明が解決しようとする課題】
【０００９】
しかしながら、上記特許文献１で示した照明器具では、ブラケットを施工面へ取り付ける際に、ねじ留めにより固定する必要があるため、取り付けの手間がかかり、更にはブラケットが必要となって構造が複雑なものとなっていた。
【００１０】
本発明は、上記事由に鑑みてなされたものであり、その目的は、器具本体を施工面へ容易に取り付けることができ、構造が簡単な照明器具を提供することにある。
【課題を解決するための手段】
【００１１】
請求項１の発明は、施工面に形成された開口の一方の開口面に対向して配置され、当該開口面の周縁に当接する第一の当接部が形成された施工具と、一面側に光源が設けられ、他面側が前記開口を介して施工具と対向して配置されて、他方の開口面の周縁に対向する第二の当接部が設けられた器具本体と、棒状に形成されて施工面の開口を挿通し、器具本体と施工具とを連結して、軸回りの所定の方向へ回転した際には、施工具を共回りさせる力を付与する連結部材と、器具本体の他面側に設けられ、共回りした施工具が当接する回転規制部材とを備え、共回りする施工具が、回転規制部材に当接して回転が停止し、その後に連結部材が単独で回転することによって器具本体が施工面の開口を通って施工具に接近し、施工具の第一の当接部と、器具本体の第二の当接部とが、施工面の開口周縁を狭持することを特徴とする。
【００１２】
この発明によれば、器具本体を施工面へ取り付ける際に、連結部材を所定の方向へ回転させるだけで、容易に取り付けを行うことができ、構造も簡単なものとすることができる。更には、器具本体の側壁に、ばね材等の別部品を設ける必要がないため、器具本体をスリムなものとすることができ、加えて器具本体が連結部材によって施工具と共に施工面へ固定されるため、器具本体が重量物であっても安定して施工面に取り付けが可能である。
【００１３】
請求項２の発明は、請求項１の発明において、前記回転規制部材は、器具本体の他面側から施工具側へ向けて突設されて、連結部材と共回りした施工具が当接する突設片を備えることを特徴とする。
【００１４】
この発明によれば、連結部材と共回りする施工具の回転を確実に止めることができ、器具本体の組み付けをスムーズに行うことができる。
【００１５】
請求項３の発明は、請求項１または２の発明において、前記連結部材は、ねじ溝が切られたねじを備え、当該ねじが器具本体を挿通して器具本体に連結されると共に、ねじ溝が施工具のねじ孔に螺合し、少なくとも施工具が連結部材と共回りしている期間にねじ孔と螺接するねじ溝の部位に、摩擦力を増大させる被覆材が設けられていることを特徴とする。
【００１６】
この発明によれば、施工具が回転規制部材に当接するよりも前に、ねじが施工具と共回りせずに空回りすることを防止することができる。
【００１７】
請求項４の発明は、請求項１乃至３いずれかの発明において、前記施工具の第一の当接部は、施工面に対して摩擦力が増大する手段を有することを特徴とする。
【００１８】
この発明によれば、器具本体が施工面に取り付けられている際に、振動等によって施工具が回転規制部材に規制される方向とは逆方向に回転して、器具本体と施工具との狭持状態が弱まることを防止することができる。
【発明の効果】
【００１９】
以上説明したように、本発明では、器具本体を施工面へ容易に取り付けることができ、構造が簡単な照明器具を提供することができるという効果がある。
【００２０】
また、器具本体をスリムなものとすることができ、加えて器具本体が重量物であっても安定して施工面へ取り付けることができるという効果もある。
【発明を実施するための最良の形態】
【００２１】
以下、本発明の実施の形態を図面に基づいて説明する。
【００２２】
（実施形態１）
本発明の実施形態について図１〜７を用いて説明を行う。なお、図１における上下左右を基準として上下左右方向と直交する方向を前後方向とする。
【００２３】
本実施形態における照明器具は、図３に示すように、前後方向に長い矩形状の開口１８を有する施工面（天井面）８の上面側に配設される施工具１と、開口１８を挿通して施工具１と対向して配設される長尺状の器具本体２と、施工具１と器具本体２とを連結する連結部材３と、器具本体２の上面に設けられる回転規制部材４とを備える（図１、５参照）。
【００２４】
施工具１は、矩形平板上の上板１ａと、上板１ａの長手方向の両端より下方へ延設された側板部１ｂと、側板部１ｂの先端より外側方向へ延設された第一の当接部１ｃとから構成されている。
【００２５】
器具本体２は、前後方向に長い長尺平板状の天板２ａと、天板２ａの短手方向両端から下方へ延設された一対の側方壁２ｂと、側方壁２ｂの先端下方に設けられる断面略Ｌ字状の枠部材１２とから構成されている。ここで、枠部材１２は、側方壁２ｂの先端下方より外側方向へ突出した一方片（第二の当接部）２ｃと、第二の当接部２ｃの内側方向端部より上方へ向けて延設されて側方壁２ｂの内側に固定される他方片２ｄとから成る。そして
、器具本体２の天板２ａの下面には、複数のＬＥＤユニット５が、前後方向に並設されており、更にＬＥＤユニット５の下方にはＬＥＤユニット５の光を反射する反射板１０及び、ルーバー１３が設けられている（図６，７（ａ）、（ｂ）参照）。
【００２６】
反射板１０は、前後方向に長い長尺断面略コの字状に形成されており、開放端を下方に向けて配設され、ＬＥＤユニット１０の光を通す透過孔１０ａが、ＬＥＤユニット１０と対向する位置にそれぞれ設けられている。
【００２７】
また、ルーバー１３は、平板状に形成されて、反射板１０の内面側の透過孔１０ａ間に各々設けられている。
【００２８】
回転規制部材４は、施工具１と器具本体２の間に配設され、器具本体２の上面に固定されている。そして、回転規制部材４は、器具本体２の上面に当接する矩形平板状の基体４ａと、基体４ａの左右側縁から突設される突設片４ｂとから構成される。突設片４ｂは、基体４ａの左側縁からは、前端部から上方に向けて形成され、基盤４ａの右側縁からは、後端部から上端に向けて形成されている。
【００２９】
連結部材３は、ねじ溝が切られたねじ６、及び袋ナット７により構成される。
【００３０】
ねじ６は、図示しない受け具が一体に形成されると共に、当該受け具を貫通している。そして、ねじ６は、反射板１０に形成される挿通孔１０ａ（図７（ａ）参照）を挿通し、器具本体２の天板２ａに形成される図示しない挿通孔を挿通して、更に回転規制部材４の基体４ａに形成される挿通孔４ｃを挿通した後に、施工具１の上板１ａに形成されるねじ孔１ｄに螺合され、上板１ａの上方でねじ６の先端部が袋ナット７に螺合される。
【００３１】
上記構成からなる本実施形態の照明器具を施工面８に取り付ける際には、まず施工具１の第一の当接部１ｃを前後方向に向けて、施工面８の開口１８の下方より当該照明器具を挿入する（図１参照）。ここで、施工面８の開口１８の短手方向の寸法Ｌ（図３参照）は、施工具１の上板１ａの短手方向の寸法Ｘ１よりも大きく、上板１ａの長手方向の寸法Ｘ２（図５参照）よりも小さく形成されている（Ｘ１＜Ｌ＜Ｘ２）。
【００３２】
また、ねじ６のねじ溝には、所定の範囲に施工具１のねじ穴１ｄとねじ６のねじ溝との間の摩擦力を増大させる被覆材９が塗布されており、ねじ６を下方から見て時計回りに回転させると、それに伴って施工具１も同方向に共回りする。
【００３３】
そして、施工具１が、上方から見て初期位置から反時計回りに略９０度回転されると、施工具１の当接部１ｃが、回転規制部材４の突設片４ｂに当接して回転が停止する（図８（ａ）、（ｂ）参照）。ここで、被覆材９は、少なくとも施工具１が回転規制部材４に当接するまでに、施工具１のねじ穴１ｄとねじ６のねじ溝とが螺合する範囲に塗布されていればよい。
【００３４】
続いてねじ６を、下方から見て更に時計回りに回転すると、施工具１がこれ以上回転しないことから、施工具１のねじ孔１ｄにねじ６のねじ溝が螺合され、ねじ６が上方へ移動し、それに伴って、ねじ６に一体に形成された受け具が、器具本体２の天板２ａの下面に当接して、器具本体２を上方へ押し上げる（図４参照）。
【００３５】
そして、器具本体２の第二の当接面２ｃが、施工面８の下方側の開口面１８Ａ周縁に当
接して、施工具１の第一の当接部１ｃと共に施工面８の開口１８を狭持することで、器具本体２が施工面８に支持固定される（図２、８（ｃ）参照）。
【００３６】
上記のようにして本実施形態の照明器具では、従来例で示したようなブラケットを用いることなく、連結部材３を所定の方向へ回転するだけで、器具本体２を施工面８に容易に固定することができる。
【００３７】
また、施工具１の第一の当接部１ｃの下面には、図示しないゴム等の部材が取り付けられていてもよく、その際には、施工面８の開口１８周縁との間に発生する摩擦力が大きなものとなって、振動等による施工具１の回転が防止されて、回転規制部材４によって回転が止められる向きとは逆回り（上方から見て時計回り）に、施工具１が回転することを防止することができる。これにより、施工具１と器具本体２との狭持状態の緩みを防止できる。なお、本実施形態では第一の当接部１ｃの下面と施工面８との間の摩擦力を高めるものとして、ゴム等の部材を当接部１ｃの下面に設けたが、当接部１ｃの下面をローレット加工する等して施工面との間の摩擦力を高める方法であってもよい。
【００３８】
加えて、器具本体２を施工面８に組み付けるために、従来のように、器具本体２の側方壁２ｂにばね材２１（図９参照）を設けたり、器具本体２内部に手を侵入させるスペースを設けたりする必要がないため、器具本体２２をスリムなものとすることができ、それに伴って、器具本体２２に組みつけられる枠１２もスリムなものにできる。また、ねじ６を締め込むことによって器具本体２が施工面８に安定して固定されることから、器具本体２が重量物であっても取り付けることが可能となっている。
【００３９】
よって、本実施形態では、器具本体２を施工面８へ容易に取り付けることができ、構造が簡単な照明器具を提供することができる。
【図面の簡単な説明】
【００４０】
【図１】本発明の実施形態における照明器具の組み付け準備完了時における断面図を示す。
【図２】同上における照明器具の施工具の係止完了時における断面図を示す。
【図３】同上における照明器具の組み付け前における断面図を示す。
【図４】同上における照明器具の組み付け途中における断面図を示す。
【図５】同上における照明器具の斜視図を示す。
【図６】同上における照明器具の外観図を示す。
【図７】同上における照明器具の要部の斜視図を示し、（ａ）は、反射板と枠を示し、（ｂ）は、施工具と、器具本体とＬＥＤユニットを示す。
【図８】同上における実施形態の要部拡大図を示し、（ａ）は、施工具の回転規制前、（ｂ）は、施工具の回転規制時、（ｃ）は、器具本体組み付け完了時を示す。
【図９】従来例の器具本体の取り付け手段１の要部拡大図を示す。
【図１０】同上における器具本体の取り付け手段２の要部拡大図を示す
【符号の説明】
【００４１】
１  施工具
２  器具本体
３  連結部材
４  回転規制部材
５  ＬＥＤユニット
８  施工面
１８  開口
１８Ａ  開口面
１８Ｂ  開口面
【図１】
2010040203.tif 000003
【図２】
2010040203.tif 000004
【図３】
2010040203.tif 000005
【図４】
2010040203.tif 000006
【図５】
2010040203.tif 000007
【図６】
2010040203.tif 000008
【図７】
2010040203.tif 000009
【図８】
2010040203.tif 000010
【図９】
2010040203.tif 000011
【図１０】
2010040203.tif 000012